(57)【要約】【課題】信頼性や耐久性を向上させると共に、安価に洗濯液を循環して衣類を洗浄することができる洗濯機を提供すること。【解決手段】洗濯兼脱水槽３５内の洗濯物に洗濯液を供給する洗濯液供給手段４５を備え、前記洗濯液供給手段４５は、外槽３３に設けた入口４０と、前記入口４０と外槽３３に設けられた出口４２とを連結する循環路４１で形成される循環経路４３を有し、前記洗濯兼脱水槽３５の回転により前記外槽下部３３ａの洗濯液が前記循環経路４３を流れるようにしたものであり、洗濯液を外槽３３の底から上に循環することができ、循環ポンプを使用しないので信頼性や耐久性を向上させると共に、安価に洗濯液を循環して洗濯物を洗浄することができる。【選択図】図１
2006000548.tif 000002
【特許請求の範囲】
【請求項１】
外槽内に回転可能に設けられた洗濯兼脱水槽と、前記洗濯兼脱水槽を回転させる駆動手段と、前記洗濯兼脱水槽内の洗濯物に洗濯液を供給する洗濯液供給手段とを備え、前記洗濯液供給手段は、前記外槽に設けた入口と、前記入口と外槽に設けられた出口とを連結する循環路で形成される循環経路を有し、前記洗濯兼脱水槽の回転により前記外槽下部の洗濯液が前記循環経路を流れるように構成した洗濯機。
【請求項２】
入口を外槽底面より上方に設けた請求項１記載の洗濯機。
【請求項３】
出口を外槽開口部に設けた請求項１記載の洗濯機。
【請求項４】
出口を洗濯液面より上方に設けた請求項１記載の洗濯機。
【請求項５】
出口の断面積を入口の断面積より小さくし、前記出口と前記入口を連結する循環路の断面積を徐々に前記出口の断面積に近づけた請求項１記載の洗濯機。
【請求項６】
外槽と洗濯兼脱水槽の隙間を上部より下部の方が狭くなるように構成した請求項１記載の洗濯機。
【請求項７】
外槽内壁の入口近傍に水流を止める抵抗板を設けた請求項１記載の洗濯機。
【請求項８】
抵抗板を入口の周囲に設け水流に対して流入部を配置した請求項１記載の洗濯機。
【請求項９】
洗濯兼脱水槽側部に放射状に羽根を設け且つ外槽に設けた入口に対向させた請求項１記載の洗濯機。
【請求項１０】
洗濯兼脱水槽の回転軸を水平に対して傾斜させ、前方が後方より高くなるように構成し下部近傍の外槽に入口を設けた請求項１記載の洗濯機。
【請求項１１】
循環路は、外槽の下部近傍から前方上部へ傾斜するように設けた請求項１０記載の洗濯機。
【請求項１２】
外槽内に回転可能に設けられた洗濯兼脱水槽と、前記洗濯兼脱水槽を回転させる駆動手段と、前記洗濯兼脱水槽内の衣類に洗濯液を供給する洗濯液供給手段とを備え、前記外槽の内壁に洗濯液を前方上部へ押し上げる傾斜流路を設け、前記傾斜流路の開始位置を外槽下部に配置すると共に前記傾斜流路の上端開口部を出口に接続した洗濯機。
【請求項１３】
洗濯兼脱水槽の正転回転数を反転回転数より多くした請求項１〜１２のいずれか１項に記載の洗濯機。
【請求項１４】
洗濯兼脱水槽の正転回転数を反転回転数より少なくした請求項１〜１２のいずれか１項に記載の洗濯機。
【発明の詳細な説明】
【技術分野】
【０００１】
本発明は、洗濯機本体内に弾性的に支持した外槽内に回転自在に配設した洗濯兼脱水槽内で洗濯物の洗濯、すすぎ、脱水を行う洗濯機に関するものである。
【背景技術】
【０００２】
従来、この種の洗濯機は洗いむらや布傷みを少なくするために洗濯兼脱水槽の駆動を極力抑え、洗濯物を静止したままでもまんべんなく洗濯水がかかるように洗濯兼脱水槽の上方からシャワー状に洗濯水をふりかけるものである（例えば、特許文献１参照）。
【０００３】
図１７は、特許文献１に記載された従来の洗濯機の全体構成を示すものである。図１７に示すように、略水平方向に回転中心軸を有し洗濯物を投入する洗濯兼脱水槽１と、この洗濯兼脱水槽１を内包する外槽２と、洗濯兼脱水槽１を駆動するモータ３と、外槽２から循環ポンプ４を介して外槽２内の水を洗濯兼脱水槽１に循環する循環経路５と、モータ３及び循環ポンプ４などの駆動を制御する制御手段６とを備えており、制御手段６は、洗濯行程において、所定水量を外槽２に給水後、循環ポンプ４を駆動すると共に、給水を継続しながら洗濯兼脱水槽１を回転、停止させる第１の行程と、給水を停止させ、洗濯兼脱水槽１の停止時間が第１の行程より長い洗濯兼脱水槽１の回転、停止を行う第２の行程と、給水する事なく第１の行程と同様の洗濯兼脱水槽１の回転、停止を行う第３の行程とを行うものである。これら３つの行程を行うことにより、デリケートな洗濯物の表面を傷めることなく洗浄効率を向上させていた。
【特許文献１】特開平９−２１５８９１号公報
【発明の開示】
【発明が解決しようとする課題】
【０００４】
しかしながら、前記従来の構成では、洗濯液の循環供給手段に循環ポンプを使用しているため、洗濯液中の汚れや糸屑等の影響でポンプの信頼性や耐久性が低下するという課題を有していた。また、コストアップの要因にもなっていた。
【０００５】
本発明は、前記従来の課題を解決するもので、信頼性や耐久性を向上させると共に、安価に洗濯液を循環して洗濯物を洗浄することができる洗濯機を提供することを目的とする。
【課題を解決するための手段】
【０００６】
前記従来の課題を解決するために、本発明の洗濯機は、洗濯兼脱水槽内の洗濯物に洗濯液を供給する洗濯液供給手段を備え、前記洗濯液供給手段は、前記外槽に設けた入口と、前記入口と外槽に設けられた出口とを連結する循環路で形成される循環経路を有し、前記洗濯兼脱水槽の回転により前記外槽下部の洗濯液が前記循環経路を流れるようにしたものである。
【０００７】
これによって、洗濯兼脱水槽を回転させることで洗濯液を循環することができ、循環ポンプを使用しないので信頼性や耐久性を向上させると共に、安価に洗濯液を循環して洗濯物を洗浄することができる。
【発明の効果】
【０００８】
本発明の洗濯機は、循環ポンプを使用しないので信頼性や耐久性を向上させると共に、安価に洗濯液を循環して洗濯物を洗浄することができる。
【発明を実施するための最良の形態】
【０００９】
第１の発明は、外槽内に回転可能に設けられた洗濯兼脱水槽と、前記洗濯兼脱水槽を回転させる駆動手段と、前記洗濯兼脱水槽内の洗濯物に洗濯液を供給する洗濯液供給手段とを備え、前記洗濯液供給手段は、前記外槽に設けた入口と、前記入口と外槽に設けられた出口とを連結する循環路で形成される循環経路を有し、前記洗濯兼脱水槽の回転により前記外槽下部の洗濯液が前記循環経路を流れるように構成したことにより、洗濯液を外槽の底から上方に循環することができ、循環ポンプを使用しないので信頼性や耐久性を向上させると共に、安価に洗濯液を循環して洗濯物を洗浄することができる。
【００１０】
第２の発明は、特に、第１の発明の入口を外槽底面より上方に設けたことにより、排水時に洗濯液が入口に滞留することを防止し、衛生面を向上することができる。
【００１１】
第３の発明は、特に、第１の発明の出口を外槽開口部に設けたことにより、洗濯液が洗濯兼脱水槽に妨げられることなく洗濯物に供給されることになり、洗浄性能を向上することができる。
【００１２】
第４の発明は、特に、第１の発明の出口を洗濯液面より上方に設けたことにより、洗濯液がかからない洗濯物に対しても確実に洗濯液をかけることができ、洗浄斑を解消することができる。
【００１３】
第５の発明は、特に、第１の発明の出口の断面積を入口の断面積より小さくし、前記出口と前記入口を連結する循環路の断面積を徐々に前記出口の断面積に近づけたことにより、出口に向かって循環経路の断面積が小さくなり、洗濯液の流速が速くなって、速度水頭が増加するので、勢いよく洗濯液を循環することができる。
【００１４】
第６の発明は、特に、第１の発明の外槽と洗濯兼脱水槽の隙間を上部より下部の方が狭くなるように構成したことにより、洗濯液を効率よく入口に流し込むことができ、洗濯液の循環量を増加することができる。
【００１５】
第７の発明は、特に、第１の発明の外槽内壁の入口近傍に水流を止める抵抗板を設けたことにより、洗濯液が入口に流入し易くなり、効率よく洗濯液を循環することができる。
【００１６】
第８の発明は、特に、第１の発明の抵抗板を入口の周囲に設け水流に対して流入部を配置したことにより、更に洗濯液が入口に流入し易くなり、少ない洗濯液に対しても安定した循環を行うことができる。
【００１７】
第９の発明は、特に、第１の発明の洗濯兼脱水槽側部に放射状に羽根を設け且つ外槽に設けた入口に対向させたことにより、入口に流入する洗濯液の流量が多くなるので、更に洗濯液の循環量を増加することができる。
【００１８】
第１０の発明は、特に、第１の発明の洗濯兼脱水槽の回転軸を水平に対して傾斜させ、前方が後方より高くなるように構成し下部近傍の外槽に入口を設けたことにより、洗濯液が少ない場合でも入口近傍に洗濯液が溜まることになり、入口に流入する洗濯液を確保することができるので、安定して洗濯液を循環することができる。
【００１９】
第１１の発明は、特に、第１０の発明の循環路は外槽の下部近傍から前方上部へ傾斜するように設けたことにより、出口を入口の略垂直方向に設けることができ、洗濯兼脱水槽内の洗濯物に真上から洗濯液をかけることになり、洗濯液を均一に洗濯物に供給することができるので、洗い斑がなく洗浄性能を向上することができる。
【００２０】
第１２の発明は、外槽内に回転可能に設けられた洗濯兼脱水槽と、前記洗濯兼脱水槽を回転させる駆動手段と、前記洗濯兼脱水槽内の衣類に洗濯液を供給する洗濯液供給手段とを備え、前記外槽の内壁に洗濯液を前方上部へ押し上げる傾斜流路を設け、前記傾斜流路の開始位置を外槽下部に配置すると共に前記傾斜流路の上端開口部を出口に接続したことにより、循環路を省略することができ、循環路の詰まりや水漏れ等が無くなるので信頼性を向上すると共にコストを下げることができる。
【００２１】
第１３の発明は、特に、第１〜１２の発明の洗濯兼脱水槽の正転回転数を反転回転数より多くしたことにより、洗濯液を洗濯物に充分供給した後、落とし洗いをすることになり、洗濯物の汚れを確実に洗濯液に溶かすことができるので、洗浄性能を向上することができる。
【００２２】
第１４の発明は、特に、第１〜１２の発明の洗濯兼脱水槽の正転回転数を反転回転数より少なくしたことにより、洗濯液を洗濯物に供給した後、遠心力洗いをすることになり、洗濯物の汚れを確実に分離することができるので、洗浄性能を更に向上することができる。
【００２３】
以下、本発明の実施の形態について、図面を参照しながら説明する。なお、この実施の形態によって本発明が限定されるものではない。
【００２４】
（実施の形態１）
図１は、本発明の第１の実施の形態における洗濯機の断面図、図２は、同洗濯機の要部断面図、図３は、同洗濯機のブロック図を示すものである。図１〜図３において、洗濯機外枠３１は、４本の吊りばね３２により外槽３３を吊り下げている。２本のダンパ３４は洗濯機外枠３１の底部と外槽３３の下部の間に設けられ、脱水時の外槽３３の振動を減衰している。
【００２５】
洗濯兼脱水槽３５は、外槽３３内に水平軸の回りに回転可能に設けられている。洗濯兼脱水槽３５には洗濯液の供給や排水をするための貫通孔３５ａが複数設けられている。バッフル３５ｂは洗濯兼脱水槽３５の内壁に設けられ、洗濯物に機械力を加えて洗浄性能を向上している。モータ（駆動手段）３６は、ブラシレス直流モータから成っており、インバータ制御され、回転速度が自在に変化できるようになっている。そして洗濯兼脱水槽３５を直接駆動する。
【００２６】
給水手段３７は洗濯兼脱水槽３５内に給水するもので、水位検知手段３８は外槽３３内の洗濯水位を検知する。排水手段３９は、外槽３３内の洗濯水を排水するものである。外槽下部３３ａの内周に入口４０が設けられ、循環路４１の下端４１ａと接続されている。出口４２は外槽３３の上部に設けられており、一端は循環路４１に接続され、他端は外槽３３内に臨んでいる。入口４０、循環路４１、出口４２で循環経路４３を形成している。洗濯兼脱水槽３５と循環経路４３で洗濯液供給手段４５を構成している。
【００２７】
制御装置４６は洗濯機外枠３１の前面に設けている。制御装置４６は図３に示すように構成しており、制御手段４７は、洗濯機外枠３１の上面に設けられた操作表示手段４８により入力された設定内容に基づいて洗い、すすぎ、脱水の各行程を逐次制御するもので、パワースイッチング手段４９を介してモータ３６、給水手段３７、排水手段３９などを逐次制御する。
【００２８】
記憶手段５０は制御手段４７による逐次制御に必要なデータを記憶している。布量検知手段５１は、洗濯兼脱水槽３５内の洗濯物（衣類）の量を検知するもので、その出力を制御手段４７に入力している。制御手段４７は、モー夕３６によって洗濯兼脱水槽３５を回転させながら、洗濯液供給手段４５により洗濯兼脱水槽３５内の洗濯物に洗濯液を供給するようにしている。なお電源スイッチ５２、商用電源５３が図のように接続されている。
【００２９】
以上のように構成された洗濯機について、以下その動作、作用を説明する。まず、洗濯兼脱水槽３５内に洗濯物と洗剤を投入後、操作表示手段４８を操作して運転を開始する。これによって、給水手段３７が動作し、洗濯兼脱水槽３５内に洗濯水が供給されると共に洗濯兼脱水槽３５も回転を開始する。規定量の洗濯水が供給されると給水手段３７は停止する。洗濯兼脱水槽３５の回転によって、洗剤は洗濯水に溶かされ、洗濯液となる。
【００３０】
外槽下部３３ａの洗濯液は、洗濯兼脱水槽３５の回転運動で旋回流となって外槽下部３３ａの内壁に沿って流れ、一部は入口４０から入って循環路４１、出口４２を通って洗濯兼脱水槽３５の側壁に流れ落ちる。貫通孔３５ａを通って洗濯物に到達した洗濯液は洗濯物に付着する汚れに作用して洗濯液中に汚れを取り込む。洗濯物からしみ出た洗濯液は自重で再び外槽下部３３ａに溜まる。これの繰り返しで、洗濯液が循環されることになる。この行程が所定時間継続されることによって衣類の汚れは洗濯液中に取り込まれ、汚れ除去が進んでいく。
【００３１】
以上のように、本実施の形態においては、洗濯液供給手段４５を洗濯兼脱水槽と、外槽下部３３ａに設けた入口４０と、入口４０と外槽上部に設けられた出口４２とを連結する循環路４１で形成される循環経路４３で構成し、洗濯兼脱水槽３５の回転により洗濯液が循環経路４３を流れるようにしたことにより、洗濯兼脱水槽を回転させることで洗濯液を外槽の下部から上に循環することができ、循環ポンプを使用しないので信頼性や耐久性を向上させると共に、安価に洗濯液を循環して洗濯物を洗浄することができる。
【００３２】
（実施の形態２）
図４は、本発明の第２の実施の形態における洗濯機の要部断面図を示すものである。図４において、入口４０を外槽底面３３ｃより上方に設けている。その他の構成は実施の形態１と同様である。以上のように、本実施の形態においては、排水時に洗濯液が入口４０に滞留することを防止し、衛生面を向上することができる。
【００３３】
（実施の形態３）
図５は、本発明の第３の実施の形態における洗濯機の要部断面図を示すものである。図５において、出口４２を外槽開口部３３ｂに設けている。その他の構成は実施の形態１と同様である。以上のように、本実施の形態においては、洗濯液が洗濯兼脱水槽３５の貫通孔３５ａを通過する必要が無く、洗濯液が直接洗濯物に供給されることになり、洗濯兼脱水槽３５の回転数を速くすると遠心力洗浄も可能となり、洗浄性能を向上することができる。
【００３４】
（実施の形態４）
図６は、本発明の第４の実施の形態における洗濯機の要部断面図を示すものである。図６において、出口４２を洗濯液面４４より上に設けている。その他の構成は実施の形態１と同様である。
【００３５】
以上のように構成された洗濯機について、以下その動作、作用を説明する。洗濯物の種類や量によっては、洗濯物が洗濯液に浮いてしまい洗濯液が浸透しない場合がある。この時、出口４２が洗濯液面４４より上にあるので、洗濯液が洗濯物にかかり、洗濯物に洗濯液を浸透させることができる。
【００３６】
以上のように、本実施の形態においては、洗濯液がかからない洗濯物に対しても確実に洗濯液をかけることができ、洗浄斑を解消することができる。
【００３７】
（実施の形態５）
図７は、本発明の第５の実施の形態における洗濯機の要部断面図を示すものである。図７において、出口の断面積Ｓ５を入口の断面積Ｓ１より小さくし、前記出口４２と前記入口４０を連結する循環路４１の断面積Ｓ２〜Ｓ４の関係をＳ１＞Ｓ２＞Ｓ３＞Ｓ４＞Ｓ５となるように、徐々に前記出口の断面積Ｓ５に近づけたものである。その他の構成は実施の形態１と同様である。
【００３８】
以上のように構成された洗濯機について、以下その動作、作用を説明する。入口４０から出口４２に向かって断面積を徐々に小さくしたことにより、循環経路４３を流れる洗濯液の流速が徐々に速くなり、速度水頭が増加するので勢い良く外槽３３の上部へ洗濯液を押し上げることができる。
【００３９】
以上のように、本実施の形態においては、出口に向かって循環経路４３の断面積が小さくしたことで、洗濯液の流速が速くなり、速度水頭が増加するので、勢いよく洗濯液を循環することができる。
【００４０】
（実施の形態６）
図８は、本発明の第６の実施の形態における洗濯機の要部断面図を示すものである。図８において、外槽３３と洗濯兼脱水槽３５の隙間６０を上部より下部の方が狭くなるように構成している。その他の構成は実施の形態１と同様である。
【００４１】
以上のように構成された洗濯機について、以下その動作、作用を説明する。洗濯兼脱水槽３５の回転により発生した洗濯液の流れは、入口４０の近傍の隙間６０が狭いため、流速が速くなって入口４０に流れ込み、その勢いで循環路４１内を上昇することになる。
【００４２】
以上のように、本実施の形態においては、洗濯液を効率よく強い力で入口に流し込むことができるので、洗濯液の循環量を増加することができる。
【００４３】
（実施の形態７）
図９は、本発明の第７の実施の形態における洗濯機の要部断面図を示すものである。図９において、外槽内壁の入口近傍３３ｄに水流を止める抵抗板６１を設けている。その他の構成は実施の形態１と同様である。
【００４４】
以上のように構成された洗濯機について、以下その動作、作用を説明する。洗濯兼脱水槽３５の回転により発生した洗濯液の流れは、外槽３３の内壁に沿って流れ、一部は入口４０に流れ込まずに通り過ぎる。しかし、抵抗板６１を設けることにより、流路を遮られた洗濯液の多くが入口４０に流れ込むことになる。
【００４５】
以上のように、本実施の形態においては、洗濯液が入口４０に流入し易くなり、効率よく洗濯液を循環することができる。
【００４６】
（実施の形態８）
図１０は、本発明の第８の実施の形態における洗濯機の要部断面図を示すものである。図１０において、抵抗板６１を入口４０の周囲に設け水流に対して流入部６１ａを配置している。その他の構成は実施の形態１と同様である。
【００４７】
以上のように構成された洗濯機について、以下その動作、作用を説明する。洗濯兼脱水槽３５の回転により発生した洗濯液の流れは、外槽３３の内壁に沿って流れ、一部は入口４０に流れ込まずに通り過ぎる。しかし、抵抗板６１を入口４０の周囲に設け水流に対して流入部６１ａを配置したので洗濯液の流れを入口４０に導くことができ、より多くの洗濯液が入口４０に流れ込むことになる。
【００４８】
以上のように、本実施の形態においては、更に洗濯液が入口４０に流入し易くなり、少ない洗濯液に対しても安定した循環を行うことができる。
【００４９】
（実施の形態９）
図１１は、本発明の第９の実施の形態における洗濯機の要部断面図を示すものである。図１１において、洗濯兼脱水槽側部３５ｃに放射状に羽根６２を設け、且つ外槽３３に設けた入口４０に対向させている。その他の構成は実施の形態１と同様である。
【００５０】
以上のように構成された洗濯機について、以下その動作、作用を説明する。羽根６２が付いたことで、洗濯兼脱水槽３５の回転が効率よく洗濯液に伝わることになる。また、羽根６２の位置を入口４０に対向させているため、洗濯液は羽根６２の動きによって入口４０に押し込まれるようになる。
【００５１】
以上のように、本実施の形態においては、洗濯液を効率よく入口４０に流し込むことができ、洗濯液の循環量を増加することができる。
【００５２】
（実施の形態１０）
図１２は、本発明の第１０の実施の形態における洗濯機の外槽と洗濯兼脱水槽の縦断面図を示すものである。図１２において、洗濯兼脱水槽３５の回転軸６３を水平に対して２０〜３０°傾斜させ、前方が後方より高くなるように構成し、外槽３３の下部近傍３３ｄに入口４０を設けている。その他の構成は実施の形態１と同様である。
【００５３】
以上のように構成された洗濯機について、以下その動作、作用を説明する。外槽３３に少量の洗濯液を入れた場合、回転軸が水平な時は、洗濯液が外槽下部３３ａに均等に分布するため、入口４０に流れ込む洗濯液が限られ循環は不可能である。しかし洗濯兼脱水槽３５の回転軸６３を水平に対して傾斜させ、前方が後方より高くなるように構成し、外槽３３の下部近傍３３ｅに入口４０を設けると、洗濯液は入口４０に集中し、循環が可能になる。
【００５４】
以上のように、本実施の形態では、洗濯液が少ない場合でも入口４０の近傍に洗濯液が溜まることになり、入口４０に流入する洗濯液を確保することができるので、安定して洗濯液を循環することができる。
【００５５】
（実施の形態１１）
図１３は、本発明の第１１の実施の形態における洗濯機の外槽と洗濯兼脱水槽の縦断面図を示すものである。図１３において、循環路４１は外槽３３の下部近傍３３ｅから前方上部３３ｆへ傾斜するように設けている。その他の構成は実施の形態１０と同様である。
【００５６】
以上のように構成された洗濯機について、以下その動作、作用を説明する。洗濯兼脱水槽３５の回転軸６３を水平に対して２０〜３０°傾斜させると、出口４２は入口４０のほぼ真上に位置するようになり、洗濯兼脱水槽３５内の洗濯物に真上から洗濯液をかけることになる。
【００５７】
以上のように、本実施の形態では、洗濯物に真上から洗濯液をかけることになるので、
洗濯液を均一に洗濯物に供給することができ、洗い斑がなく洗浄性能を向上することができる。
【００５８】
（実施の形態１２）
図１４は、本発明の第１２の実施の形態における洗濯機の外槽の一部切欠した斜視図、図１５は、同洗濯機の要部断面図を示すものである。図１４、図１５において、外槽３３内に水平軸の回りに回転可能に洗濯兼脱水槽３５が設けられている。外槽内壁３３ｇに洗濯液を前方上部３３ｆへ押し上げる傾斜流路６４が設けられており、傾斜流路６４の開始位置６４ａは外槽下部３３ａに配置している。外槽カバー６５には出口４２が一体に設けられており、外槽カバー６５を外槽３３に取り付けると、傾斜流路６４の上端開口部６４ｂと出口４２が接続される。
【００５９】
以上のように構成された洗濯機について、以下その動作、作用を説明する。洗濯兼脱水槽３５の回転で発生した回転水流は、水位が低い場合でも、傾斜流路６４の開始位置６４ａを外槽下部３３ａに配置しているので、傾斜流路６４を上昇し出口４２から洗濯兼脱水槽３５内に流出することになる。
【００６０】
以上のように、本実施の形態においては、外槽内壁３３ｇに洗濯液を上方へ押し上げる傾斜流路６４を設け、傾斜流路６４の開始位置６４ａを外槽下部３３ａに配置すると共に傾斜流路６４の上端開口部６４ｂを出口４２に接続することにより、洗濯兼脱水槽３５の回転で発生した回転水流は、傾斜流路６４を上昇し出口４２から洗濯兼脱水槽３５内に流出することになり、循環路４１を無くすことができ、循環路４１の詰まりや水漏れ等が無くなるので信頼性を向上すると共にコストを下げることができる。
【００６１】
（実施の形態１３）
図１６は、本発明の第１３の実施の形態における洗濯機の要部断面図を示すものである。図１６において、洗濯兼脱水槽３５が正回転の時に、洗濯液が循環するように構成されている。その他の構成は実施の形態１〜１２と同様である。
【００６２】
以上のように構成された洗濯機について、以下その動作、作用を説明する。洗濯兼脱水槽３５を回転数１４０ｒ／ｍｉｎで正転させると、洗濯液が循環して洗濯物に洗濯液が供給される。その後、洗濯兼脱水槽３５を回転数３０ｒ／ｍｉｎで反転すると、回転数が低いので洗濯物は遠心力で洗濯兼脱水槽３５に張り付くことなく洗濯兼脱水槽３５の上部から落下を繰り返す。
【００６３】
以上のように、本実施の形態においては、洗濯液を洗濯物に充分供給した後、落とし洗いをすることになり、洗濯物の汚れを確実に洗濯液に溶かすことができるので、洗浄性能を向上することができる。
【００６４】
また、洗濯兼脱水槽３５を回転数１４０ｒ／ｍｉｎで正転させて洗濯物に洗濯液を供給した後、洗濯兼脱水槽３５を回転数３０ｒ／ｍｉｎで正反転すると、洗濯物の動きが均一になり洗い斑のない洗浄が可能になる。
【００６５】
（実施の形態１４）
図１６において、洗濯兼脱水槽３５が正回転の時に、洗濯液が循環するように構成されている。その他の構成は実施の形態１〜１２と同様である。
【００６６】
以上のように構成された洗濯機について、以下その動作、作用を説明する。洗濯兼脱水槽３５を回転数１４０ｒ／ｍｉｎで正転させると、洗濯液が循環して洗濯物に洗濯液が供給される。その後、洗濯液の循環でモータに負荷がかからないように洗濯兼脱水槽３５を回転数３００ｒ／ｍｉｎで反転すると、回転数が高いので洗濯物は遠心力で洗濯兼脱水槽３５に張り付き、脱水状態になって洗濯物に浸透し汚れを溶かし込んだ洗濯液は洗濯物から分離する。
【００６７】
以上のように、本実施の形態においては、洗濯液を洗濯物に供給した後、脱水する遠心力洗いをすることになり、洗濯物の汚れを確実に分離することができるので、洗浄性能を更に向上することができる。
【産業上の利用可能性】
【００６８】
以上のように、本発明に関わる洗濯機は、循環ポンプを使用しないので信頼性や耐久性を向上させると共に、安価に洗濯液を循環して衣類を洗浄することが可能となるので、液を循環させる、例えば染色機械等の用途にも適用できる。
【図面の簡単な説明】
【００６９】
【図１】本発明の実施の形態１における洗濯機の断面図
【図２】同洗濯機の要部断面図
【図３】同洗濯機のブロック図
【図４】本発明の実施の形態２における洗濯機要部断面図
【図５】本発明の実施の形態３における洗濯機要部断面図
【図６】本発明の実施の形態４における洗濯機要部断面図
【図７】本発明の実施の形態５における洗濯機要部断面図
【図８】本発明の実施の形態６における洗濯機要部断面図
【図９】本発明の実施の形態７における洗濯機要部断面図
【図１０】本発明の実施の形態８における洗濯機の要部断面図
【図１１】本発明の実施の形態９における洗濯機の要部断面図
【図１２】本発明の実施の形態１０における洗濯機の外槽と洗濯兼脱水槽の縦断面図
【図１３】本発明の実施の形態１１における洗濯機の外槽と洗濯兼脱水槽の縦断面図
【図１４】本発明の実施の形態１２における洗濯機の外槽の一部切欠斜視図
【図１５】本発明の実施の形態１２における洗濯機の要部断面図
【図１６】本発明の実施の形態１３、１４における洗濯機の要部断面図
【図１７】従来の洗濯機の断面図
【符号の説明】
【００７０】
３３  外槽
３３ａ  外槽下部
３３ｂ  外槽開口部
３３ｃ  外槽底面
３３ｄ  入口近傍
３３ｅ  下部近傍
３３ｆ  前方上部
３３ｇ  外槽内壁
３５  洗濯兼脱水槽
３５ｃ  洗濯兼脱水槽側部
３６  駆動手段
４０  入口
４１  循環路
４２  出口
４３  循環経路
４４  洗濯液面
４５  洗濯液供給手段
６０  隙間
６１  抵抗板
６１ａ  流入部
６２  羽根
６３  回転軸
６４  傾斜流路
６４ａ  開始位置
６４ｂ  上端開口部
【図２】
2006000548.tif 000003
【図３】
2006000548.tif 000004
【図４】
2006000548.tif 000005
【図５】
2006000548.tif 000006
【図６】
2006000548.tif 000007
【図７】
2006000548.tif 000008
【図８】
2006000548.tif 000009
【図９】
2006000548.tif 000010
【図１０】
2006000548.tif 000011
【図１１】
2006000548.tif 000012
【図１２】
2006000548.tif 000013
【図１３】
2006000548.tif 000014
【図１４】
2006000548.tif 000015
【図１５】
2006000548.tif 000016
【図１６】
2006000548.tif 000017
【図１７】
2006000548.tif 000018
【図１】
2006000548.tif 000019